(57)【要約】【課題】被包装体に傷を付けることなく、かつ接着テープがはがれることもなく、包装することができる梱包装置を提供すること。【解決手段】展開した状態で略矩形であり、かつ折り畳んだ状態で略角筒となるように、その角筒の稜に位置する折り目を有する。上記角筒の一面は、互いに重ね合わせられる重ね合せ部１６Ａ，１６Ｂを有し、上記重ね合せ部１６Ａ，１６Ｂのうちの上側の重ね合せ部１６Ｂは、下側の重ね合せ部１６Ａの先端近傍に位置する位置に折り目またはミシン目２０を有する。【選択図】図１
2008120410.tif 000002
【特許請求の範囲】
【請求項１】
展開した状態で略矩形であり、かつ
折り畳んだ状態で略角筒となるように、
その角筒の稜に位置する折り目（１２，１３，１４，１５）を有し、かつ、
上記角筒の一面は、互いに重ね合わせられる重ね合せ部（１６Ａ，１６Ｂ）を有し、
上記重ね合せ部（１６Ａ，１６Ｂ）のうちの上側の重ね合せ部（１６Ｂ）は、下側の重ね合せ部（１６Ａ）の先端近傍に位置する位置に折り目またはミシン目（２０）を有する
ことを特徴とする梱包装置。
【発明の詳細な説明】
【技術分野】
【０００１】
この発明は、空気調和器の梱包装置に関する。
【背景技術】
【０００２】
従来、空気調和機の梱包装置としては、特開２００１−１７９８６３号公報（特許文献１）に記載のものがある。すなわち、この梱包装置は、矩形の段ボールを、両端の天面部、底面部、一対の側面部の区画し、被包装体の４面を覆う形状に形成されるものである。この矩形段ボールで被包装体を梱包するには、この矩形段ボールを折り曲げて被包装体を囲い、開放される天面部分を閉じ、上記両天面部の端辺を衝き合わせて、その合わせ目部分に接着テープを貼り付けて包装する。
【０００３】
しかしながら、上記梱包装置は、上記両天面部の端辺を衝き合わせて、その合わせ目部分に接着テープを貼り付けるので、衝き合わせ目部分が外力に対して弱く、またカッタ−等でテープを切る際に刃先で被包装体に傷が付くという問題がある。
【０００４】
また、上記両天面部を重ね合わせて、上側の天面部の先端部を下側の天面部の上面に押さえ付けながら、上側の天面部の先端部と下側の天面部の上面に接着テープを貼り付けて包装することも行われているが、この場合は、上側の天面部の復元力によって、上記接着テープがはがれるという問題がある。
【特許文献１】特開２００１−１７９８６３号公報  図６
【発明の開示】
【発明が解決しようとする課題】
【０００５】
そこで、この発明の課題は、被包装体に傷を付けることなく、かつ接着テープがはがれることもなく、包装することができる梱包装置を提供することにある。
【課題を解決するための手段】
【０００６】
上記課題を解決するために、この発明の梱包装置は、
展開した状態で略矩形であり、かつ
折り畳んだ状態で略角筒となるように、
その角筒の稜に位置する折り目を有し、かつ、
上記角筒の一面は、互いに重ね合わせられる重ね合せ部を有し、
上記重ね合せ部のうちの上側の重ね合せ部は、下側の重ね合せ部の先端近傍に位置する位置に折り目またはミシン目を有する
ことを特徴としている。
【０００７】
この発明によれば、展開した状態で略矩形であり、かつ折り畳んだ状態で略角筒となるように、その角筒の稜に位置する折り目を有し、かつ、上記角筒の一面は、互いに重ね合わせられる重ね合せ部を有し、上記重ね合せ部のうちの上側の重ね合せ部は、下側の重ね合せ部の先端近傍に位置する位置に折り目またはミシン目を有しているので、重ね合せ部が丈夫であり、またカッタ−等でテープを切る際に刃先で被包装物に傷を付けることがなく包装することができる。
【０００８】
また、この発明によれば、上記重ね合せ部のうちの上側の重ね合せ部は、下側の重ね合せ部の先端近傍に位置する位置に折り目またはミシン目を有しているので、上記重ね合せ部のうちの上側の重ね合せ部を下側の重ね合せ部に押さえつけても、上側の重ね合せ部は、その折り目またはミシン目で容易に折れ曲り、復元力が殆ど発生しなく、上側の重ね合せ部と下側の重ね合せ部に接着テープを貼り付けても、接着テープが剥がれることがなく包装することができる。
【発明の効果】
【０００９】
この発明によれば、上記重ね合せ部のうちの上側の重ね合せ部は、下側の重ね合せ部の先端近傍に位置する位置に折り目またはミシン目を有しているので、被包装物に傷を付けることがなく、かつ接着テープが剥がれることなく被包装物を梱包することができる。
【発明を実施するための最良の形態】
【００１０】
以下、この発明を図示の形態のより詳細に説明する。
【００１１】
図１は、この発明の梱包装置の実施形態を示す斜視図である。図２は、図１の実施形態の分解斜視図である。
【００１２】
この実施形態の梱包装置は、例えば、空気調和機の梱包にしようするもので、角筒体１０と上記角筒体１０の両端面開口を塞ぐ端面被覆体３０とで構成される。
【００１３】
上記角筒体１０は、図２の分解図に示すように、矩形状の段ボール板１１に、一方の対向辺間に亘るとともに他方の対向辺に平行な直線状の折れ目１２、１３、１４、１５を設けて、端から順次上面部１６Ａ、側面部１７、底面部１８、側面部１９、上面部１６Ｂに区画している。上記折り目１２、・・・は、段ボールを線状に圧縮して形成される。上記底面部１８の幅は、被包装物の幅を超える長さであり、上記側面部１７、１９の幅は、被包装物の高さを超える長さに形成されている。上記上面部１６Ａの幅は、被包装物の幅の略半分で、上記上面部１６Ｂの幅は、被包装物の幅の半分よりも大きく形成している。さらに、上記上面部１６Ｂは、上記折れ目１５から端辺に向かって被包装物の幅の略半分の長さの位置に上記折れ目１５と平行な折れ目２０を設けて、一重部１６Ｂ１と重ね部１６Ｂ２とに区分している。
【００１４】
上記矩形状の段ボール板１１の一方対向辺間の長さ、つまり奥行きの長さは、被包装物の長さを超える長さに形成されている。
【００１５】
上記端面被覆体３０は、図２の分解図に示すように、矩形状の段ボール板３１に、一方の対向辺間に亘るとともに他方の対向辺に平行な直線状の折れ目３２、３３を設けて、端から順次差込み辺部３４Ａ、端面部３５、差込み辺部３４Ｂに区画している。上記差込み辺部３４Ａ、３４Ｂの幅は、適宜の長さであり、端面部３５の幅は、上記側面部１７、１９の幅の長さよりも小さく形成されている。
【００１６】
上記矩形状の段ボール板３１の一方対向辺間の長さ、つまり幅の長さは、上記底面部１８の幅の長さよりも小さい長さに形成されている。
【００１７】
つぎに、この発明の梱包装置を用いて被包装物を梱包することについて説明する。
【００１８】
まず、上記段ボール板１１の側面部１７に被包装物を置く。つぎに、上記折れ目１３、１４で上記矩形状の段ボール板１１を略直角に折り曲げる。つぎに、上記折れ目１２で上記段ボール板１１を略直角に折り曲げる。さらに、上記折れ目１５で上記段ボール板１１を略直角に折り曲げる。そうすると、上記段ボール板１１は、被包装物の四周を覆うことができる。そして、上記上面部１６Ａと上記一重部１６Ｂ１で被包装物を覆うと共に、上記上面部１６Ｂの重ね部１６Ｂ２は、上記上面部１６Ａの上側に跳ね上がった状態で重なる。このとき、上記折れ目２０は、上記上面部１６Ａの先端近傍に位置している。そこで、跳ね上がった状態の上記重ね部１６Ｂ２を押えると、上記重ね部１６Ｂ２は、上記折れ目２０で折れ曲り、上記上面部１６Ａの上側に密接する。この密接した状態で、上記上面部１６Ａと上記重ね部１６Ｂ２に亘って接着テープ４０を貼り付ける。
【００１９】
こうして、上記角筒体１０が形成される。
【００２０】
さらに、上記端面被覆体３０の上記段ボール板３１を上記折れ目３２、３３で同じ方向に折り曲げて、上記差込み辺部３４Ａ、３４Ｂを上記角筒体１０の開口４１の内側に差し込んで、上記開口４１を上記端面被覆体３０で塞ぐ。この差し込んだ上記端面被覆体３０を上記角筒体１０に接着テープまたは接着剤で固定して被包装物の梱包が終了する。
【００２１】
この発明によれば、上記上面部１６Ａと上記上面部１６Ｂとが重なっているので、丈夫であり、またカッタ−等でテープを切る際に刃先で被包装物に傷を付けることがなくすることができる。
【００２２】
また、この発明によれば、上記上面部１６Ａと上記上面部１６Ｂとの上記重ね部１６Ｂ２は、上記折り目２０を有しているので、上記重ね部１６Ｂ２がその復元力で跳ね上がることなく、容易に確実に折れ曲げることができ、上記上面部１６Ａと上記重ね部１６Ｂ２に亘って接着テープ４０を貼り付けても、接着テープがはがれるのを防ぐことができる。
【００２３】
なお、上記折り目を線状に圧縮する場合について説明したが、折り目はミシン目でも良い。
【図面の簡単な説明】
【００２４】
【図１】この発明の梱包装置の実施形態を示す斜視図である。
【図２】図１の実施形態の分解斜視図である。
【符号の説明】
【００２５】
１０  角筒体
１１  矩形状の段ボール板
１２、１３、１４、１５  折れ目
１６Ａ、１６Ｂ  上面部
１６Ｂ１  一重部
１６Ｂ２  重ね部
１７、１９  側面部
１８  底面部
２０  折れ目
３０  端面被覆体
４０  接着テープ
【図１】
2008120410.tif 000003
【図２】
2008120410.tif 000004